(57)【特許請求の範囲】
【請求項１】
前身頃および後身頃ならびに前記前身頃および前記後身頃と別体に形成されたスペーサ部材を有する使い捨ての着用物品であって、
前記スペーサ部材が、逆Ｕ字型ないし逆Ｖ字型に湾曲させられた熱可塑性合成繊維製不織布であり、前記前身頃および前記後身頃の内面に取り付けられて、着用者の肌へ向かって弧を画いて延び、前記内面と肌との間において弾性変形可能であることを特徴とする前記着用物品。
【請求項２】
前記前後身頃が、不織布および不織布とプラスチックフィルムとの積層シートのいずれかで形成されている請求項１記載の着用物品。
【請求項３】
前記スペーサ部材が、捲縮した合成繊維からなるものである請求項１または２記載の着用物品。
【請求項４】
前記着用物品が袖を有し、前記袖の内側に前記スペーサ部材が取り付けられている請求項１〜３のいずれかに記載の着用物品。
【発明の詳細な説明】
【０００１】
【発明の属する技術分野】
この発明は、使い捨ての上着等の使い捨て着用物品に関し、より詳しくは特に通気性を向上させた該着用物品に関する。
【０００２】
【従来の技術】
従来、病院等において使い捨ての着用物品が広く使用されている。それには、例えば手術用ガウンであるとか被検者用のシャツやパンツであるとかがあり、これらの多くは不織布製のものである。不織布は、熱可塑性合成繊維製のものが多く使用される。
【０００３】
【発明が解決しようとする課題】
前記従来技術の使い捨て着用物品では、不織布どうしを縫合することに代えて、ホットメルト接着剤や溶着によって不織布どうしを接合し、前記物品の生産性を向上させることがある。また、複数枚の不織布は極力単純な接合ラインによって着用物品に仕立てられる。しかしながら、そうしたことの結果として、着用物品が平面的なものになり、例えば前身頃と後身頃とが着用者の胴周りに一様にフィットするのではなく、腹や背中にばかり強く密着するようなことがある。不織布が合成繊維製のものであると吸汗性に乏しいから、着用物品は、そうした密着によって蒸れ易く、着心地の悪いものになりかねない。
【０００４】
この発明は、これら従来技術の使い捨て着用物品における着用時の通気性の向上を課題にしている。
【０００５】
【課題を解決するための手段】
前記課題を解決するために、この発明が前提とするのは、前身頃および後身頃ならびに前記前身頃および前記後身頃と別体に形成されたスペーサ部材を有する使い捨ての着用物品であり、この発明が特徴とするところは、前記スペーサ部材が、逆Ｕ字型ないし逆Ｖ字型に湾曲させられた熱可塑性合成繊維製不織布であり、前記前身頃および前記後身頃の内面に取り付けられて、着用者の肌へ向かって弧を画いて延び、前記内面と肌との間において弾性変形可能であること、にある。
【０００６】
この発明の好ましい実施態様の一つにおいて、前記前後身頃が、不織布および不織布とプラスチックフィルムとの積層シートのいずれかで形成されている。
【０００７】
好ましい実施態様の他の一つにおいて、前記スペーサ部材が、捲縮した合成繊維からなるものである。
【０００８】
好ましい実施態様のさらに他の一つにおいて、前記着用物品が袖を有し、前記袖の内側に前記スペーサ部材が取り付けられている。
【０００９】
【発明の実施の形態】
使い捨ての上着を例にとり、添付の図面を参照して、この発明に係る使い捨て着用物品の詳細を説明すると、以下のとおりである。
【００１０】
図１に部分破断図に示された上着１は、熱可塑性合成繊維製不織布からなるもので、左右の前身頃２，３と、後身頃４と、左右の袖６，７とを有する。左右の前身頃２，３は、それぞれに取り付けられた商品名マジックテープ等で知られるメカニカルファスナのフック部材８とループ部材９とが係脱することによって、開いたり閉じたりすることができる。左右の前身頃２，３の側縁部１１Ａ，１２Ａと肩部１１Ｂ，１２Ｂとが、線１３において後身頃４の左右の側縁部１６Ａ，１７Ａと左右の肩部１６Ｂ，１７Ｂとに溶着している。袖６，７のそれぞれは、図の前後方向で重なり合う２枚の不織布１８，１９からなり、不織布１８，１９が線２１，２２において互いに溶着し、さらに、不織布１８は線２３において左右の前身頃２，３のいずれかと溶着し、不織布１９は図示されていない線において後身頃４に溶着している。
【００１１】
上着１は、左右の前身頃２，３の内面に前身頃２，３とは別体に形成された第１スペーサ部材３１を有し、後身頃４の内面に後身頃４とは別体に形成された第２スペーサ部材３２を有する。第１スペーサ部材３１は、上着１の胴周り方向へ延び、第２スペーサ部材３２は、上下方向へ延びている。
【００１２】
図２は、図１のＩＩ−ＩＩ線断面を示す図である。第１スペーサ部材３１は、加熱下で逆Ｕ字型ないし逆Ｖ字型に湾曲させられた熱可塑性合成繊維製不織布であり、前身頃２，３の内面に部位３３において接合し、その内面から着用者の肌へ向かって弧を画きながら延びている。第１スペーサ部材３１は、上着１を着用者の肌から離間させて、これら両者間の通気性を高め、上着１を着用したときの蒸れを防止することができる。部材３１は、肌に触れて矢印Ｘで示す方向へ押圧されると、弾性変形して仮想線の如き状態となり、さらに押圧されれば、実質的にその厚さを感じない程度にまで偏平になることが可能である。それゆえ、部材３１は、上着１の内方へ突出してはいるものの、上着１の着用感に悪影響を与えることがない。部材３１の弾性を向上させるには、捲縮した合成繊維、より好ましくは捲縮した複合繊維からなる不織布を使用することが好ましい。合成繊維がループを画いて捲縮している不織布は、弾性と肌触りの良さとを兼ね備え、特に好ましいものの一つである。上着１の胴周り方向における部材３１の長さに制約はないが、一般的には１０〜３００ｍｍの範囲にあることが好ましい。
【００１３】
図３は、図１のＩＩＩ−ＩＩＩ線断面を示す図である。第２スペーサ部材３２は、第１スペーサ部材３１と同様な不織布からなるもので、不織布の縁部どうしが部位３６で接合することにより、断面形状が環状を呈し、後身頃４の内面に部位３７で接合している。第２スペーサ部材３２は、着用者の肌に触れて矢印Ｘで示す方向へ押圧されると、弾性変形して仮想線の位置にくる。かかる部材３２は、第１スペーサ部材３１と同様に作用して上着１の通気性を高めることができる。部材３２の内径と長さとに特に制約はないが、その長さは第１スペーサ部材３１と同様に１０〜３００ｍｍの範囲にあることが好ましい。
【００１４】
この発明において、第１，２スペーサ部材３１，３２のそれぞれは、図示例以外の部位、例えば袖の内部など適宜の部位に取り付けることができる。また、上着１には、第１，２スペーサ部材３１，３２の一方だけを使用することもできる。第１，２スペーサ部材３１，３２は上着１とは別体のものであるから、上着１に比較的価格の安い非伸縮性の不織布やプラスチックフィルム、不織布とプラスチックフィルムとの積層シート等を使用し、第１，２部材３１，３２に価格は高いが、弾性に優れた伸縮性の不織布を使用するというように素材を使い分けると、上着１のコストを低く抑えながら機能を向上させることができる。上着１には、織布を使用することもできる。上着１の各部材の接合は、熱や超音波での溶着によることが好ましいが、溶着することに代えてホットメルト接着剤等で接着することもできる。この発明は、図示例の上着１の他に、袖のない上着や使い捨てのパンツなどのような各種の使い捨て着用物品で実施することができる。着用物品が、プラスチックフィルム等の通気性の悪いシート素材でできている場合に第１，２スペーサ部材３１，３２を使用すると、これら部材による通気性向上効果がはっきりと顕われる。
【００１５】
【発明の効果】
この発明に係る使い捨ての着用物品は、その内面に着用者の肌へ向かって弧を画いて延びる弾性変形可能なスペーサ部材を有しているから、物品と着用者の肌との間の通気性に優れている。
【図面の簡単な説明】
【図１】着用物品（上着）の部分破断正面図。
【図２】図１のＩＩ−ＩＩ線切断面を示す図。
【図３】図２のＩＩＩ−ＩＩＩ線切断面を示す図。
【符号の説明】
１    着用物品（上着）
２，３    前身頃
４    後身頃
７    袖
３１，３２    スペーサ部材
【図１】
0003597715.tif 000002
【図２】
0003597715.tif 000003
【図３】
0003597715.tif 000004